【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
複数の携帯電子機器のドッキングで用いる方法であって、前記方法は、
マスタ装置上にユーザインタフェースを表示することであって、複数の画面が、複数のマスタ装置ディスプレイのうちの対応するものにそれぞれ表示されることと；
前記マスタ装置を、スレーブ装置にドッキングすることと；
スレーブ装置ディスプレイ上に表示されるように、前記ユーザインタフェースを適合させることと；
前記スレーブ装置ディスプレイを、複数のディスプレイ部分に分割することであって、それぞれの前記ディスプレイ部分は、前記複数のマスタ装置ディスプレイのうちのそれぞれ１つに対応することと
を有し、
前記複数のマスタ装置ディスプレイのうちの対応する１つに表示されるそれぞれの画面は、前記スレーブ装置ディスプレイの前記複数のディスプレイ部分のうちの１つに表示される、
方法。
【請求項２】
前記複数の画面は、前記マスタ装置で実行する一つあるいは複数のアプリケーションに対応する、
請求項１記載の方法。
【請求項３】
前記ドッキングは、前記マスタ装置と、前記スレーブ装置のうちの一つあるいは複数のハードウエア構成要素との間の通信を確立することを有する、
請求項１記載の方法。
【請求項４】
前記適合は、前記スレーブ装置ディスプレイに表示されるように、前記画面のうちの少なくとも１つのサイズを変更することを有し、
前記適合は、前記スレーブ装置ディスプレイに表示されるように、前記画面の向きを変えることを有する、
請求項１記載の方法。
【請求項５】
前記スレーブ装置は、前記マスタ装置が前記スレーブ装置にドッキングされない場合の
前記複数のマスタ装置ディスプレイ上の前記複数画面の制御に対応する態様で、前記マスタ装置が前記スレーブ装置にドッキングされるときに前記スレーブ装置ディスプレイの前記複数のディスプレイ部分上の前記複数画面の前記表示を制御すべく、ジェスチャ入力に応答する、
請求項４記載の方法。
【請求項６】
前記分割は、
前記スレーブ装置ディスプレイのうちの少なくとも第１ディスプレイ領域を、第１ディスプレイ部分に割当てることと；
前記スレーブ装置ディスプレイのうちの少なくとも第２ディスプレイ領域を、第２ディスプレイ部分に割当てることと
を有する、
請求項１記載の方法。
【請求項７】
複数の携帯電子機器をドッキングするシステムであって、前記システムは、
一つあるいは複数の画面を表示するように機能する、複数のマスタ装置ディスプレイを有するマスタ装置と；
ドッキング位置で前記マスタ装置を収容するように機能する、スレーブ装置ディスプレイを有するスレーブ装置と
を備え、
前記ドッキング位置にあるときに前記マスタ装置は、前記スレーブ装置ディスプレイに動作通信し、
前記ドッキング位置にあるときに前記マスタ装置は、前記複数のマスタ装置ディスプレイに一致する複数のディスプレイ部分に、前記スレーブ装置ディスプレイを分割するように機能し、前記複数のマスタ装置ディスプレイに表示される前記一つあるいは複数の画面は、前記スレーブ装置ディスプレイの前記複数のディスプレイ部分のうちの対応するものにそれぞれ表示可能である、
システム。
【請求項８】
前記マスタ装置は、ハンドヘルド装置であり、
前記スレーブ装置は、タブレット装置であり、
前記ハンドヘルド装置は、第１ディスプレイと第２ディスプレイを有し、
前記スレーブ装置ディスプレイは、
前記第１ディスプレイに対応する第１ディスプレイ部分と、
前記第２ディスプレイに対応する第２ディスプレイ部分と
に分割される、
請求項７記載のシステム。
【請求項９】
前記複数のマスタ装置ディスプレイに表示される前記一つあるいは複数の画面が、前記スレーブ装置ディスプレイの前記複数のディスプレイ部分のうちの対応するものに表示されるときに、
前記一つあるいは複数の画面のうちの少なくとも１つのサイズは、変更され、
前記複数のマスタ装置ディスプレイに表示される前記一つあるいは複数の画面が、前記スレーブ装置ディスプレイの前記複数のディスプレイ部分のうちの対応するものに表示されるときに、
前記一つあるいは複数の画面のうちの少なくとも１つの向きは、変更される、
請求項７記載のシステム。
【請求項１０】
前記ドッキング位置にないときに前記マスタ装置は、受信ジェスチャ入力に応答して前記複数のマスタ装置ディスプレイ上の前記一つあるいは複数の画面の前記表示を制御する
ように機能し、
前記ドッキング位置にあるときに前記マスタ装置は、前記スレーブ装置ディスプレイの前記複数のディスプレイ部分上の前記一つあるいは複数の画面の前記表示を制御するように機能する、
請求項７記載のシステム。
【請求項１１】
前記スレーブ装置ディスプレイの前記複数のディスプレイ部分上での前記受信ジェスチャ入力に応答する前記一つあるいは複数の画面の前記表示の前記制御は、
前記複数のマスタ装置ディスプレイ上での前記受信ジェスチャ入力に応答する前記一つあるいは複数の画面の前記表示の前記制御に同じである、
請求項１０記載のシステム。
【請求項１２】
前記マスタ装置は、前記複数のマスタ装置ディスプレイのすぐ近傍にマスタ装置ジェスチャセンサを有し、
前記スレーブ装置は、前記スレーブ装置ディスプレイのすぐ近傍にスレーブ装置ジェスチャセンサを有する、
請求項１１記載のシステム。
【請求項１３】
前記スレーブ装置は、前記ドッキング位置において前記マスタ装置を収容可能に係合する保持機構を有する、
請求項７記載のシステム。
【請求項１４】
スレーブ装置ディスプレイと；
ドッキング位置においてマスタ装置を収容するように機能するドッキング要素と
を有するスレーブ装置であって、
前記ドッキング位置にあるときに前記マスタ装置は、前記スレーブ装置ディスプレイに作動通信し、
前記ドッキング位置にあるときに前記マスタ装置は、複数のマスタ装置ディスプレイに一致する複数のディスプレイ部分に、前記スレーブ装置ディスプレイを分割するように機能し、
前記複数のマスタ装置ディスプレイに表示される一つあるいは複数の画面は、前記スレーブ装置ディスプレイの対応部分に表示可能である、
スレーブ装置。
【請求項１５】
一つあるいは複数の画面を表示するように機能する複数のマスタ装置ディスプレイと；
スレーブ装置ディスプレイを有するスレーブ装置との動作通信を確立するように機能する通信ポートと
を有するマスタ装置であって、
前記マスタ装置は、ドッキング位置において前記スレーブ装置に収容可能に係合でき、前記ドッキング位置にあるときに前記マスタ装置は、前記スレーブ装置ディスプレイに動作通信し、
前記ドッキング位置にあるときに前記マスタ装置は、前記複数のマスタ装置ディスプレイに一致する複数のディスプレイ部分に、前記スレーブ装置ディスプレイを分割するように機能し、前記複数のマスタ装置ディスプレイに表示される前記一つあるいは複数の画面は、前記スレーブ装置ディスプレイの対応部分に表示可能である、
マスタ装置。
【手続補正２】
【補正対象書類名】明細書
【補正対象項目名】００２２
【補正方法】変更
【補正の内容】
【００２２】
【図１】携帯電子機器をドッキングするシステムの実施形態の略図。
【図２】ハンドヘルド装置の実施形態の略図。
【図３】ドッキング位置でのタブレット装置とハンドヘルド装置の実施形態。
【図４】図３の実施形態の詳細図。
【図５Ａ】ディスプレイ上に表示可能な画面の実施形態。
【図５Ｂ】ディスプレイ上に表示可能な画面の実施形態。
【図５Ｃ】ディスプレイ上に表示可能な画面の実施形態。
【図５Ｄ】ディスプレイ上に表示可能な画面の実施形態。
【図６Ａ】マスタ装置の配置と向きの様々な実施形態。
【図６Ｂ】マスタ装置の配置と向きの様々な実施形態。
【図６Ｃ】マスタ装置の配置と向きの様々な実施形態。
【図６Ｄ】マスタ装置の配置と向きの様々な実施形態。
【図６Ｅ】マスタ装置の配置と向きの様々な実施形態。
【図６Ｆ】マスタ装置の配置と向きの様々な実施形態。
【図６Ｇ】マスタ装置の配置と向きの様々な実施形態。
【図６Ｈ】マスタ装置の配置と向きの様々な実施形態。
【図６Ｉ】マスタ装置の配置と向きの様々な実施形態。
【図６Ｊ】マスタ装置の配置と向きの様々な実施形態。
【図６Ｋ】マスタ装置の配置と向きの様々な実施形態。
【図７】ジェスチャ入力の様々な実施形態。
【図８】可能なジェスチャ入力。
【図９】アプリケーションスタックでの画面の論理位置を示すアプリケーションスタックを有する、ユーザインタフェースの実施形態。
【図１０】マスタ装置をスレーブ装置にドッキングする一実施形態。
【図１１】スレーブ装置上のディスプレイに、肖像と風景の順で表示された画面の一実施例。
【図１２】縦向きでスレーブ装置上に表示された画面の実施形態。
【図１３】横向きでスレーブ装置上に表示された画面の実施形態。
【図１４】それぞれ単一画面縦向きモードと複数画面横向きモードでの複数画面アプリケーションの表示。
【図１５】スレーブ装置上に表示された複数画面アプリケーションのサイズの一実施形態。
【図１６】ジェスチャ入力に応答してスレーブ装置上の画面を制御する一実施形態。
【図１７】画面の論理位置が認識されうるようなスレーブ装置上の複数の画面の表示。
【図１８】画面の論理位置が認識されうるようなスレーブ装置上の複数の画面の表示。
【図１９】スレーブ装置上でのアプリケーション画面とデスクトップ画面の同時表示。
【図２０】スレーブ装置上での２つのアプリケーション画面の同時表示。
【図２１】スレーブ装置の全ディスプレイを占める縦向きのアプリケーション画面の表示。
【図２２】デスクトップ画面または縦向きと横向きの表示。
【図２３Ａ】デスクトップシーケンスを表示するためのデバイスに関するデスクトップシーケンス。
【図２３Ｂ】デスクトップシーケンスを表示するためのデバイスに関するデスクトップシーケンス。
【図２４】デスクトップシーケンスを表示するためのデバイスに関するデスクトップシーケンス。
【図２５】スレーブ装置上でのキーボードの表示。
【図２６】画面の論理的位置決めが視認できるようなキーボードと複数画面の表示。
【図２７】スレーブ装置で動作するドロワ（ｄｒａｗｅｒ）の実施形態。
【手続補正３】
【補正対象書類名】明細書
【補正対象項目名】００９０
【補正方法】変更
【補正の内容】
【００９０】
さらに図１６を参照すると、ジェスチャ入力は、タブレットディスプレイ１０６上に表示される画面の変更に用いられうる。ジェスチャ入力を用いるタブレット１００の操作は、上記の参考文献によって盛り込まれた出願書類において議論された全てのジェスチャ入力を包含しうる。図１６に示される一特定実施例においてタブレット１００は、ディスプレイ１０６上にアプリケーションＸ５２２を表示しうる。上記の図９において言及されたように、アプリケーションの向き（たとえばアプリケーションの論理的順序）は、メモリに維持されうる。よってアプリケーションＹ５２４，アプリケーションＡ５１２，およびアプリケーションＺ５２６は、明確にするために図１６に図示されるが、アプリケーションＸ５２２に対するアプリケーションの論理位置（たとえば左か右に）のみを表わしうる。図１６の上部でドラッグジェスチャ３０４が、受信されうる。それに応じてアプリケーションＡ５１２は、ドラッグ３０４の受信後、ディスプレイ１０６上に表示されうる。図１３の上部と下部との間のアプリケーションスタックの移動から理解されうるように、アプリケーションの論理位置は、ドラッグ３０４の受信後、維持されうる。この点においてジェスチャは、テーブル１００のディスプレイ１０６上に表示されるアプリケーションの変更に用いられうる。